(57)【要約】      （修正有）【課題】発生する虞のある火花（例えば、爆発）の影響を軽減することができる燃料タンク備品収納室を提供する。【解決手段】備品収納室４００は複数の収納室に細分割する少なくとも1つのパーティション４１０を含み、前記少なくとも1つのパーティションは、プレート４２０と、前記プレート内に配置され、かつ蒸気及び流体を前記複数の収納室の第1収納室４１２と第2収納室４１４との間で連通させる少なくとも1つのフレームアレスタ４２２と、を含み、前記少なくとも1つのフレームアレスタは、前記第1収納室内の燃焼ガス４３０を前記第2収納室に排気するように構成される。【選択図】図４
2015164839.tif 000002
【特許請求の範囲】
【請求項１】
備品乾燥収納室（400）であって、前記備品乾燥収納室は、
前記備品乾燥収納室を複数の収納室に細分割する少なくとも1つのパーティション（410）を備え、前記少なくとも1つのパーティションは、
プレート（420）と、
前記プレート内に配置され、かつ蒸気及び流体を前記複数の収納室の第1収納室（412）と第2収納室（414）との間で連通させる少なくとも1つのフレームアレスタ（422）と、を備え、前記少なくとも1つのフレームアレスタは、前記第1収納室内の燃焼ガスを前記第2収納室に排気するように構成される、備品乾燥収納室（400）。
【請求項２】
前記少なくとも1つのフレームアレスタは、前記第1収納室内の火花点火燃焼による燃焼ガスを前記第2収納室に排気することにより、前記火花が前記第2収納室に広がらないように構成される、請求項1に記載の備品乾燥収納室。
【請求項３】
前記少なくとも1つのフレームアレスタは、略円筒形のフレームアレスタを備える、請求項1又は2に記載の備品乾燥収納室。
【請求項４】
前記少なくとも1つのパーティションは、前記少なくとも1つのパーティションのいずれかの側の備品を分離して、1個の火花発生源が前記少なくとも1つのパーティションの手前側から向こう側まで広がることができないようにする、又は前記少なくとも1つのパーティションの両側に含まれることがないようにする、請求項1〜3のいずれか一項に記載の備品乾燥収納室。
【請求項５】
更に、
燃料タンクアセンブリ（500）を備え、前記燃料タンクアセンブリは、
燃料貯留室（406）と、
前記燃料貯留室内に配置される少なくとも1つのポンプ乾燥収納室（520）と、を備える、請求項1〜4のいずれか一項に記載の備品乾燥収納室。
【請求項６】
前記少なくとも1つのフレームアレスタは、前記第1収納室内の火花点火燃焼による燃焼ガスを前記第2収納室に排気することにより、前記火花点火燃焼による前記備品乾燥収納室内の最大圧力が、約37ポンド／平方インチ絶対圧力以下になるように構成される、請求項1〜5のいずれか一項に記載の備品乾燥収納室。
【請求項７】
更に、前記備品乾燥収納室と前記少なくとも1つのポンプ乾燥収納室との間に接続される排出配管（510）を備える、請求項5に記載の備品乾燥収納室。
【請求項８】
更に、前記備品乾燥収納室と前記排出配管との間に接続される少なくとも1つの外部フレームアレスタを備える、請求項7に記載の備品乾燥収納室。
【請求項９】
更に、
前記第1収納室と前記排出配管との間に接続される第1外部フレームアレスタ（514）と、
前記第2収納室と前記排出配管との間に接続される第2外部フレームアレスタ（516）と、
前記少なくとも1つのポンプ乾燥収納室と前記排出配管との間に接続される少なくとも1つの外部フレームアレスタと、を備える、請求項7に記載の備品乾燥収納室。
【請求項１０】
前記少なくとも1つのフレームアレスタは、2個のフレームアレスタを備え、
前記プレートは金属プレートを備える、請求項1〜9のいずれか一項に記載の備品乾燥収納室。
【請求項１１】
火花を備品乾燥収納室（400）内に閉じ込める方法であって、前記方法は、
前記備品乾燥収納室を、少なくとも1つのパーティション（410）を使用して複数の収納室に細分割するステップであって、前記少なくとも1つのパーティションが、プレート（420）と、前記プレート内に配置され、かつ蒸気及び流体を前記複数の収納室の第1収納室（412）と第2収納室（414）との間で連通させる少なくとも1つのフレームアレスタ（422）と、を含む、前記細分割するステップと、
前記第1収納室内の火花点火燃焼による燃焼ガスを前記第2収納室に前記少なくとも1つのフレームアレスタを介して排気するステップと、
を含む、方法。
【請求項１２】
燃焼ガスを排気するステップは、燃焼ガスを、前記火花が前記第2収納室に広がらないように排気することを含む、請求項11に記載の方法。
【請求項１３】
燃焼ガスを排気するステップは、燃焼ガスを、前記火花点火燃焼による前記備品乾燥収納室内の最大圧力が、約37ポンド／平方インチ絶対圧力以下になるように排気することを含む、請求項11〜12のいずれか一項に記載の方法。
【請求項１４】
前記備品乾燥収納室を細分割するステップは、前記備品乾燥収納室を、金属プレート内に配置される一対のフレームアレスタを含む少なくとも1つのパーティションを使用して細分割することを含む、請求項11〜13のいずれか一項に記載の方法。
【発明の詳細な説明】
【技術分野】
【０００１】
本開示の分野は概して、備品乾燥収納室に関し、特に備品乾燥収納室内で発生する虞のある火花（例えば、爆発）の影響を軽減することに関する。
【背景技術】
【０００２】
燃料タンク及び他のシステムは通常、図1に示す従来の備品乾燥収納室10のような1つ以上の備品乾燥収納室を含む。備品乾燥収納室10は、外壁12及び内壁14により画定され、複数の電気備品16を含む。燃料が備品乾燥収納室10に漏れ出す場合、電気備品16が故障して、漏れ燃料に点火する虞がある。
【発明の概要】
【発明が解決しようとする課題】
【０００３】
従って、米国連邦航空局規則によれば、可燃性流体が漏れ出して流れ込む虞のある領域は、火花発生の可能性を最小限に抑える手段、及び火花が発生する場合に結果として生じる危険を最小限に抑える手段を含んでいる必要がある。火花が発生する危険のうちの1つの危険は、排気されない収納室の内部の圧力が大きく上昇する虞があることである。例えば、火花が備品乾燥収納室10内で発生する場合、圧力が大気圧から約120ポンド／平方インチ絶対圧力（psia）まで上昇する虞がある。正常動作状態では、備品乾燥収納室10の構造設計圧力は、かなり低い可能性がある。従って、火花点火燃焼による圧力上昇を処理し易くして強度を高めるために、通常の備品乾燥収納室設計では、非常に高価であり、かつ非常に重い構造材料を追加する必要がある。
【０００４】
少なくとも幾つかの公知の燃料タンクアセンブリでは、発泡体ブロックを利用して、火花点火の危険性を低くする。これらの発泡体ブロックはセル構造を有し、このセル構造によって、燃料をこれらのブロックに浸み込ませることにより、燃料の移動を最小限に抑えることができる。更に、これらのブロックは、火花が発生する場合の火炎の伝播を抑制する。このような発泡体ブロックは、備品への接近を妨げ、これらの発泡体ブロック自体が燃える可能性がある。他の公知の電気筐体では、火花点火燃焼による圧力は、筐体を取り囲む外部環境に排気される。しかしながら、与圧キャビン内の燃料タンク備品収納室のような幾つかの実施形態では、過剰圧力を外部環境に排気するのは、実現可能ではない、又は望ましくない−或いは、規則に準拠することができない可能性さえある。
【０００５】
本明細書において行われる開示は、これらの注意事項、及び他の注意事項に関連して提示される。
【課題を解決するための手段】
【０００６】
1つの態様では、備品乾燥収納室が提供される。前記備品乾燥収納室は、前記備品乾燥収納室を複数の収納室に細分割する少なくとも1つのパーティションを含み、前記少なくとも1つのパーティションは、プレートと、前記プレート内に配置され、かつ蒸気及び流体を前記複数の収納室の第1収納室と第2収納室との間で連通させる少なくとも1つのフレームアレスタと、を含み、前記少なくとも1つのフレームアレスタは、前記第1収納室内の燃焼ガスを前記第2収納室に排気するように構成される。
【０００７】
別の態様では、燃料タンクアセンブリが提供される。前記燃料タンクアセンブリは、燃料貯留室と、前記燃料貯留室内に配置される少なくとも1つのポンプ乾燥収納室と、前記燃料貯留室内に配置され、かつ少なくとも1つのパーティションを含む備品乾燥収納室と、を含み、前記少なくとも1つのパーティションは、前記備品乾燥収納室を複数の収納室に細分割する。前記少なくとも1つのパーティションは、プレートと、前記プレート内に配置され、かつ蒸気及び流体を前記複数の収納室の第1収納室と第2収納室との間で連通させる少なくとも1つのフレームアレスタと、を含み、前記少なくとも1つのフレームアレスタは、前記第1収納室内の燃焼ガスを前記第2収納室に排気するように構成される。
【０００８】
更に別の態様では、火花を備品乾燥収納室内に閉じ込める方法が提供される。前記方法は、前記備品乾燥収納室を、少なくとも1つのパーティションを使用して複数の収納室に細分割するステップであって、前記少なくとも1つのパーティションが、プレートと、前記プレート内に配置され、かつ蒸気及び流体を前記複数の収納室の第1収納室と第2収納室との間で連通させる少なくとも1つのフレームアレスタと、を含む、前記細分割するステップと、前記第1収納室内の火花点火燃焼による燃焼ガスを前記第2収納室に前記少なくとも1つのフレームアレスタを介して排気するステップと、を含む。
【図面の簡単な説明】
【０００９】
【図１】公知の備品乾燥収納室の模式図である。
【図２】例示的な航空機製造及び整備方法のフロー図である。
【図３】航空機のブロック図である。
【図４】火花を含む例示的な備品乾燥収納室の模式図である。
【図５】図4に示す備品乾燥収納室を使用することができる例示的な燃料タンクの模式斜視図である。
【図６】図5に示す燃料タンクの模式側面図である。
【図７】図4に示す備品乾燥収納室の切り欠き斜視図である。
【図８】図4に示す備品乾燥収納室に使用することができるフレームアレスタを備える例示的なパーティションの正面図である。
【発明を実施するための形態】
【００１０】
本明細書において記載されるシステム及び方法は、パーティションを含む備品乾燥収納室を提供する。パーティションは、備品乾燥収納室を第1収納室及び第2収納室に細分割する。更に、パーティションは、プレートと、プレート内に配置される少なくとも1つのフレームアレスタと、を含む。従って、火花が第1収納室内で発生する場合、火花点火燃焼による燃焼ガスは、第2収納室にフレームアレスタを介して排気される。これにより、火花点火燃焼による圧力及び温度を大幅に低くすることができ、火花が第2収納室に広がるのを防止することができる。
【００１１】
これらの図面を更に詳細に参照するに、本開示の実施形態は、図2に示す航空機の製造及び保守点検方法100、及び図3に示す航空機102に関連して説明することができる。製造前段階では、例示的な方法100において、航空機102の仕様及び設計104、及び材料調達106を行うことができる。製造段階では、航空機102の構成要素及び部分組立品の製造108、及びシステム統合110が行われる。その後、航空機102は、認証及び搬送112を経て就航114される。顧客が就航中、航空機102は、日常的な整備及び保守点検116が行われるようにスケジューリングされる（この整備及び保守点検116は、改修、再構成、改装などを含むこともできる）。
【００１２】
方法100のプロセスの各プロセスは、システムインテグレータ、サードパーティ、及び／又はオペレータ（例えば、顧客）によって行うことができるか、又は実行することができる。この説明を進めるために、システムインテグレータとして、これらには限定されないが、任意の数の航空機製造業者、及び大手システムサブコントラクタを挙げることができ、サードパーティとして、これらには限定されないが、任意の数のベンダー、サブコントラクタ、及びサプライヤーを挙げることができ、オペレータは、航空会社、リース会社、軍隊、整備機関などとすることができる。
【００１３】
図3に示すように、例示的な方法100により製造される航空機102は、複数のシステム120を有する機体118と、機内122と、を含むことができる。高位システム120の例として、推進システム124、電気システム126、油圧システム128、及び環境システム130のうちの1つ以上を挙げることができる。任意の数の他のシステムを含めてもよい。航空宇宙用の例を示しているが、本開示の原理は、自動車産業のような他の産業に適用することができる。
【００１４】
本明細書において実現される装置及び方法は、製造及び保守点検方法100の種々の段階のうちの任意の1つ以上の段階において用いることができる。例えば、製造プロセス108に対応する構造部材又はサブアセンブリは、航空機102が就航中に製造される構造部材又はサブアセンブリと同様の方法で組み立てるか、又は製造することができる。また、1つ以上の装置実施形態、方法実施形態、又は装置実施形態及び方法実施形態の組み合わせは、製造段階108及び110において、例えば航空機102の組み立てを大幅に促進することにより、又は航空機102のコストを大幅に低減することにより、利用することができる。同様に、装置実施形態、方法実施形態、又は装置実施形態及び方法実施形態の組み合わせのうちの1つ以上の実施形態は、航空機102の就航中、かつ例えばこれに限定されないが、航空機102に対して整備及び保守点検116を行っている間に利用することができる。
【００１５】
図4は、例示的な備品乾燥収納室400の模式図である。公知の備品乾燥収納室10（図1に示す）と同様に、備品乾燥収納室400は、1つ以上の電気備品を含む。しかしながら、図を分かり易くするために、電気備品は、図4には図示していない。備品乾燥収納室400は、外壁402及び内壁404により画定される。例示的な実施形態では、外壁402はまた、燃料タンク（図4には図示せず）の外壁を形成し、内壁404は、燃料タンクの燃料貯留室406を画定する。燃料タンクは、例えば航空機102（図3に示す）の燃料タンクとすることができる。
【００１６】
例示的な実施形態では、備品乾燥収納室400が燃料タンク内に設けられているが、当分野の当業者であれば、備品乾燥収納室400は、密閉電気筐体を含む非常に多種多様なシステム内に設けることができることを理解できるであろう。例えば、備品乾燥収納室400はバッテリハウジングとすることができる。すなわち、本明細書において使用されるように、「equipment dry bay」とは、火花点火燃焼事象を閉じ込める、かつ／又は軽減することが望ましい場合の任意の密閉電気筐体を指すことができる。従って、本明細書において説明されるシステム及び方法は、燃料タンクへの使用に限定されない。
【００１７】
例示的な実施形態では、備品乾燥収納室400は、燃料タンクに貯留されている燃料に極めて接近している。詳細には、内壁404は、燃料に接触し、そして燃料で濡れて、備品乾燥収納室400の主燃料遮蔽部の一部を形成する。備品乾燥収納室400の上部（すなわち、外壁402に位置する）は、備品乾燥収納室400の補助遮蔽部の一部を形成し、キャビン雰囲気に触れている。排出配管（図4には図示されず）は、備品乾燥収納室400の下側箇所に設けられて、主遮蔽部への漏れが生じる場合の燃料の溜まりを防止する。特に、排出システムは、火花点火燃焼による圧力を軽減する効果にとって必須ではない。
【００１８】
機械的故障及び／又は電気的故障に起因して、燃料が燃料貯留室406から、備品乾燥収納室400に漏れ出す虞がある。漏れ出した燃料は、備品乾燥収納室400内で、電気備品によって着火して火花408が飛ぶ虞がある。例えば、配線又はコネクタの短絡時に火花放電又は過熱が生じると、可燃性蒸気に点火する虞がある。本明細書において説明されるように、パーティション410を備品乾燥収納室400内に配置することにより、電気備品16が互いに離れた状態を保つことができ、更に、火花408に対する安全性を、パーティション410の一方の側の電気的故障がパーティション410の周りに伝播し、同じ故障の結果として、火花が他方の側で発生するのを防止することにより高めることができる。
【００１９】
例示的な実施形態では、備品乾燥収納室400は、本明細書において記載されるように、火花408の影響を軽減し易くするパーティション410を含む。詳細には、パーティション410は、備品乾燥収納室400を第1収納室412及び第2収納室414に分割する。例示的な実施形態では、備品乾燥収納室400は、パーティション410を1つだけ含む。別の構成として、備品乾燥収納室は、備品乾燥収納室400を2つよりも多くの収納室に分割する複数のパーティション410を含むことができる。パーティション410は、プレート420と、プレート420内に配置されて、蒸気／流体を第1収納室412と第2収納室414との間で連通させる少なくとも1つのフレームアレスタ422と、を含む。例示的な実施形態では、プレート420は金属（例えば、アルミニウム）プレートである。別の構成として、プレート420は、備品乾燥収納室400を本明細書に記載の通りに機能させることができるいずれかの材料により形成することができる。
【００２０】
火花408が飛んで燃焼ガス430が発生すると、備品乾燥収納室400内の圧力が上昇する。しかしながら、パーティション410によって、圧力上昇を軽減し易くなり、火花408を閉じ込め易くなる。詳細には、火花408が第1収納室412内で発生する場合、燃焼ガス430は、パーティション410を介して（更に詳細には、フレームアレスタ422を介して）第2収納室414に排気される。フレームアレスタ422は、燃焼ガス430がフレームアレスタ422を介して流れるにつれて、流動面積が相対的に大きくなり、かつ圧力低下が相対的に小さくなるようなサイズに形成される。燃焼ガスがフレームアレスタ422を介して流れるにつれて、燃焼エネルギーがガスから、ガスがフレームアレスタ422に触れることにより取り出されて、火炎を消滅させ、パーティション410の下流側に排出される燃焼ガス430の温度及び圧力を大幅に下げることができる。
【００２１】
このように、フレームアレスタ422は、燃焼ガス430に含まれる火花点火による全ての未燃焼成分を焼尽くすことができ、燃焼ガス430は、第2収納室414内で、圧力が逃げた排出蒸気434に変化する。これにより、第1収納室412内の圧力上昇を最小限に抑え易くなり、ほぼ一様な平均圧力を、第1収納室412及び第2収納室414の両方の収納室内で生じさせることができる。例えば、備品乾燥収納室10（図1に示す）のようなパーティションのない備品乾燥収納室では、火花が発生する場合に、圧力は、大気圧から約125ポンド／平方インチ絶対圧力（psia）まで上昇する可能性がある。しかしながら、パーティションのある備品乾燥収納室400では、圧力は、たった約37psiaにしか上昇しない。更に詳細には、幾つかの実施形態では、火花408点火燃焼による最大圧力は、14.7 psiaの基準大気圧に対して、約29〜33 psiaの範囲である。
【００２２】
従って、高温高圧燃焼ガス430を、フレームアレスタ422を介して排気することにより、火花408点火燃焼による圧力上昇を大幅に軽減することができる。更に、圧力低下が非常に小さいことにより、フレームアレスタ422は更に、燃焼ガスがフレームアレスタ422を介して流れるときに、燃焼ガス430を冷却し易くすることができる。更に、フレームアレスタ422は、火花408が第1収納室412から第2収納室414に広がるのを防止することにより、備品乾燥収納室400に滞留する可燃性混合物の大きな割合部分の可燃性混合物が爆発燃焼するのを阻止することができる。従って、火花408を第1収納室412内に閉じ込め、第2収納室414内の電子備品は、火花408による損傷を受けることがない。特に、燃焼ガス430は、備品乾燥収納室400の外部に排気されず、上記の通りに実現する圧力低下は、火花点火燃焼による最大圧力を他の構造設計限界の限界値に収まるようにするためにほぼ十分である。
【００２３】
図5は、備品乾燥収納室400を含むことができる例示的な燃料タンク500の模式斜視図である。図6は、燃料タンク500の模式図である。例示的な実施形態では、燃料タンク500は、コーナー空隙部508の間に延在するハニカムコア材料504により形成される外側表面502を含む。図5に示すように、燃料タンク500により形成される収容室の大部分は、燃料貯留室406専用になっている。
【００２４】
備品乾燥収納室400に漏れ出した燃料を全て除去するために、排気排出配管510を第1収納室412及び第2収納室414と流体連通させ、かつ第1収納室412及び第2収納室414から延設することにより、漏れ燃料を出口512に流出させる。例示的な実施形態では、第1外部フレームアレスタ514が、第1収納室412と配管510との間の境界部に配置され、第2外部フレームアレスタ516が、第2収納室414と配管510との間の境界部に配置される。従って、火花408が第1収納室412内又は第2収納室414内で発生する場合、火花408は、配管510に広がることはない。
【００２５】
排気排出配管510は更に、1つ以上のポンプ乾燥収納室520と流体連通することにより、ポンプ乾燥収納室520に漏れ出した燃料を排出し易くしている。例示的な実施形態では、燃料タンク500は、2つのポンプ乾燥収納室520を含む。別の構成として、燃料タンク500は、燃料タンク500を本明細書に記載の通りに機能させることができる任意の数のポンプ乾燥収納室520を含むことができる。ポンプ乾燥収納室520は、バルブ、センサ、ポンプ、及び／又は燃料タンク500の動作中に使用される他の備品を含むことができる。
【００２６】
例示的な実施形態では、第3フレームアレスタ522が、一方のポンプ乾燥収納室520と配管510との間の境界部に配置され、第4フレームアレスタ524が、他方のポンプ乾燥収納室520と配管510との間の境界部に配置される。従って、火花408が、ポンプ乾燥収納室520の一方のポンプ乾燥収納室で発生する場合、火花408は、配管510に広がることはない。幾つかの実施形態では、ポンプ乾燥収納室520は、互いに対してパーティション410（図4に示す）と同様のパーティションを使用して接続することもできる。このような実施形態では、一方のポンプ乾燥収納室520内の火花408点火燃焼による燃焼ガス430は、他方のポンプ乾燥収納室520に排気されることになる。
【００２７】
図7は、備品乾燥収納室400の切り欠き斜視図である。図を分かり易くするために、備品乾燥収納室400の前面パネルを省略し、パーティション410の一部のみを図7に示している。備品乾燥収納室400は、複数の電気部品702を含む。上に説明したように、電気部品702のうちの1つの電気部品が故障すると、火花が第1収納室412内又は第2収納室414内で発生する虞がある。しかしながら、パーティション410で燃焼を、火花が発生した収納室内に閉じ込めることができ、火花が他方の収納室に広がるのを防止し易くする。
【００２８】
図8は、備品乾燥収納室400（図4及び図7に示す）に使用することができる例示的なパーティション800の正面図である。例示的な実施形態では、パーティション800は、プレート802と、プレート802内に配置される2つのフレームアレスタ804と、を含む。例示的な実施形態では、プレート802は金属（例えば、アルミニウム）プレートである。別の構成として、プレート802は、パーティション800を本明細書に記載の通りに機能させることができる任意の材料により形成することができる。図8に示すように、フレームアレスタ804は、略円筒形であり、互いに対して位置合わせされる（すなわち、プレート802の上の同じ高さに配置される）。別の構成として、パーティション800は、パーティション800を本明細書に記載の通りに機能させることができる任意の形状及び／又は任意の向きを有する任意の数のフレームアレスタ804を含むことができる。例えば、フレームアレスタ804の数は、フレームアレスタ804の表面積と第1収納室412及び第2収納室414の容積の比を最適化し易いように選択することができる。
【００２９】
更に、幾つかの実施形態では、パーティション800は、管又は通路を含み、フレームアレスタ804が、これらのチューブ内に、又は通路内に配置される。別の構成として、パーティション800は、燃焼ガス流が、最小限の圧力損失でパーティションの手前側から向こう側に自由に流れることができる状態を保ちながら、火炎を効果的に消炎する任意の材料マトリックスによって構成することができる。更に、幾つかの実施形態では、パーティション800は、備品乾燥収納室400と一体に形成される構造とすることにより、プレート802が、着脱可能に締結する構造ではなく、一体的に加工されたリブ及び／又はパーティションとなるようにすることができる。更に、パーティション800は、備品乾燥収納室400の構造的強度を高める主機能を有する構造とすることができる、又は備品乾燥収納室400を、火花点火燃焼による圧力から離れた圧力域に配置される構成の構造とすることができる。特に、フレームアレスタ804を備えるパーティション800は、可燃性雰囲気が、電気備品以外の火花発生源（例えば、落雷、戦闘による火炎など）と同時に形成される構成の構造に使用することができる。
【００３０】
更に、本開示は、以下の条項に記載の種々の実施形態を備える：
条項1.
備品乾燥収納室であって、前記備品乾燥収納室は、
前記備品乾燥収納室を複数の収納室に細分割する少なくとも1つのパーティションを備え、前記少なくとも1つのパーティションは、
プレートと、
前記プレート内に配置され、かつ蒸気及び流体を前記複数の収納室の第1収納室と第2収納室との間で連通させる少なくとも1つのフレームアレスタと、を備え、前記少なくとも1つのフレームアレスタは、前記第1収納室内の燃焼ガスを前記第2収納室に排気するように構成される、備品乾燥収納室。
条項2.
前記少なくとも1つのフレームアレスタは、前記第1収納室内の火花点火燃焼による燃焼ガスを前記第2収納室に排気することにより、前記火花が前記第2収納室に広がらないように構成される、条項1に記載の備品乾燥収納室。
条項3.
前記少なくとも1つのフレームアレスタは、前記第1収納室内の火花点火燃焼による燃焼ガスを前記第2収納室に排気することにより、前記火花点火燃焼による前記備品乾燥収納室内の最大圧力が、約37ポンド／平方インチ絶対圧力以下になるように構成される、条項1に記載の備品乾燥収納室。
条項4.
前記少なくとも1つのフレームアレスタは、2個のフレームアレスタを備える、条項1に記載の備品乾燥収納室。
条項5.
前記少なくとも1つのフレームアレスタは、略円筒形のフレームアレスタを備える、条項1に記載の備品乾燥収納室。
条項6.
前記少なくとも1つのパーティションは、前記少なくとも1つのパーティションのいずれかの側の備品を分離して、1個の火花発生源が前記少なくとも1つのパーティションの手前側から向こう側まで広がることができないようにする、又は前記少なくとも1つのパーティションの両側に含まれることがないようにする、条項1に記載の備品乾燥収納室。
条項7.
燃料貯留室と、
前記燃料貯留室内に配置される少なくとも1つのポンプ乾燥収納室と、
前記燃料貯留室内に配置され、かつ少なくとも1つのパーティションを含む備品乾燥収納室であって、前記少なくとも1つのパーティションが、前記備品乾燥収納室を複数の収納室に細分割する、前記備品乾燥収納室と、を備え、前記少なくとも1つのパーティションは、
プレートと、
前記プレート内に配置され、かつ蒸気及び流体を前記複数の収納室の第1収納室と第2収納室との間で連通させる少なくとも1つの内部フレームアレスタと、を備え、前記少なくとも1つの内部フレームアレスタは、前記第1収納室内の燃焼ガスを前記第2収納室に排気するように構成される、燃料タンクアセンブリ。
条項8.
前記少なくとも1つのフレームアレスタは、前記第1収納室内の火花点火燃焼による燃焼ガスを前記第2収納室に排気することにより、前記火花が前記第2収納室に広がらないように構成される、条項7に記載の燃料タンクアセンブリ。
条項9.
前記少なくとも1つの内部フレームアレスタは、前記第1収納室内の火花点火燃焼による燃焼ガスを前記第2収納室に排気することにより、前記火花点火燃焼による前記備品乾燥収納室内の最大圧力が、約37ポンド／平方インチ絶対圧力以下になるように構成される、条項7に記載の燃料タンクアセンブリ。
条項10.
更に、前記備品乾燥収納室と前記少なくとも1つのポンプ乾燥収納室との間に接続される排出配管を備える、条項7に記載の燃料タンクアセンブリ。
条項11.
更に、前記備品乾燥収納室と前記排出配管との間に接続される少なくとも1つの外部フレームアレスタを備える、条項10に記載の燃料タンクアセンブリ。
条項12.
更に、
前記第1収納室と前記排出配管との間に接続される第1外部フレームアレスタと、
前記第2収納室と前記排出配管との間に接続される第2外部フレームアレスタと、
を備える、条項10に記載の燃料タンクアセンブリ。
条項13.
更に、前記少なくとも1つのポンプ乾燥収納室と前記排出配管との間に接続される少なくとも1つの外部フレームアレスタを備える、条項10に記載の燃料タンクアセンブリ。
条項14.
前記少なくとも1つの内部フレームアレスタは、2個のフレームアレスタを備える、条項7に記載の燃料タンクアセンブリ。
条項15.
前記少なくとも1つの内部フレームアレスタは、略円筒形のフレームアレスタを備える、条項7に記載の燃料タンクアセンブリ。
条項16.
前記プレートは金属プレートを備える、条項7に記載の燃料タンクアセンブリ。
条項17.
火花を備品乾燥収納室内に閉じ込める方法であって、前記方法は、
前記備品乾燥収納室を、少なくとも1つのパーティションを使用して複数の収納室に細分割するステップであって、前記少なくとも1つのパーティションが、プレートと、前記プレート内に配置され、かつ蒸気及び流体を前記複数の収納室の第1収納室と第2収納室との間で連通させる少なくとも1つのフレームアレスタと、を含む、前記細分割するステップと、
前記第1収納室内の火花点火燃焼による燃焼ガスを前記第2収納室に前記少なくとも1つのフレームアレスタを介して排気するステップと、
を含む、方法。
条項18.
燃焼ガスを排気するステップは、燃焼ガスを、前記火花が前記第2収納室に広がらないように排気することを含む、条項17に記載の方法。
条項19.
燃焼ガスを排気するステップは、燃焼ガスを、前記火花点火燃焼による前記備品乾燥収納室内の最大圧力が、約37ポンド／平方インチ絶対圧力以下になるように排気することを含む、条項17に記載の方法。
条項20.
前記備品乾燥収納室を細分割するステップは、前記備品乾燥収納室を、金属プレート内に配置される一対のフレームアレスタを含む少なくとも1つのパーティションを使用して細分割することを含む、条項17に記載の方法。
【００３１】
本明細書において記載されるこれらの実施形態は、パーティションを含む備品乾燥収納室を提供する。前記パーティションは、前記備品乾燥収納室を第1収納室及び第2収納室に細分割する。更に、前記パーティションは、プレートと、前記プレート内に配置される少なくとも1つのフレームアレスタと、を含む。従って、火花（例えば、爆発）が前記第1収納室内で発生する場合、前記火花点火燃焼による燃焼ガスは前記第2収納室に前記フレームアレスタを介して排気される。これにより、前記火花点火燃焼による圧力を下げることができ、前記火花が前記第2収納室に広がるのを防止することができる。
【００３２】
本明細書において記載されるこれらの実施形態は、少なくとも幾つかの公知の燃料タンクアセンブリよりも優れた改善効果を発揮する。少なくとも幾つかの公知の燃料タンクアセンブリと比較すると、本明細書において記載される備品乾燥収納室は、フレームアレスタを備えるパーティションを含み、前記フレームアレスタは、一方の収納室内の火花点火燃焼による燃焼ガスを第2収納室に排気し易くする。燃焼ガスを排気すると、火花点火燃焼による圧力を、少なくとも幾つかの公知の備品乾燥収納室と比較して、大幅に下げることができる。従って、少なくとも幾つかの公知の備品乾燥収納室とは異なり、本明細書において記載される備品乾燥収納室は、より高い圧力に耐えることができる更に高価で重い材料を必要としない。更に、パーティションは、火花を備品乾燥収納室のほんの一部にのみ限定し易くするので、備品乾燥収納室内の少なくとも幾つかの電気備品に対する損傷を防止することができる。これにより、パーティションの各側の電気システム及び備品が冗長システムである構成の冗長性を確保することができる。更に、冗長になるかどうかに関係なく、パーティションで分離される（回路がパーティションの手前側から向こう側に延在することがないように）システムを電気的に分離することにより、パーティションの一方の側の電気的故障（例えば、高温短絡）が他方の側で同時に発生するのを防止することができる。
【００３３】
この記載の説明では、種々の例を用いて、最良の形態を含む種々の実施形態を開示し、更に、当分野の当業者であれば誰でも、これらの実施形態を実施することにより、任意のデバイス又はシステムを作製し、そして使用し、取り込まれる任意の方法を実行することができるようにしている。特許可能な範囲は、請求項により規定され、当分野の当業者が想到することができる他の例を含むことができる。このような他の例は、これらの請求項の範囲に、これらの例が、これらの請求項の文言と異ならない構造的要素を有する場合に、又はこれらの例が、これらの請求項の文言とは殆ど異ならない等価な構造的要素を含む場合に包含されるべきである。
【符号の説明】
【００３４】
10、400  備品乾燥収納室
12  外壁
14  内壁
16  電気備品
100  航空機の製造及び保守点検方法
102  航空機
104  仕様及び設計
106  材料調達
108  構成要素及び部品組立品の製造、製造段階、製造プロセス
110  システム統合
112  認証及び搬送
114  就航
116  整備及び保守点検
118  機体
120  複数のシステム、高位システム
122  機内
124  推進システム
126  電気システム
128  油圧システム
130  環境システム
402  外壁
404  内壁
406  燃料貯留室
408  火花
410、800  パーティション
412  第1収納室
414  第2収納室
420、802  プレート
422、804  フレームアレスタ
430  燃焼ガス
434  排出蒸気
500  燃料タンク
502  外側表面
504  ハニカムコア材料
508  コーナー空隙部
510  排気排出配管、配管
512  出口
514  第1外部フレームアレスタ
516  第2外部フレームアレスタ
520  ポンプ乾燥収納室
522  第3フレームアレスタ
524  第4フレームアレスタ
702  電気部品
【図１】
2015164839.tif 000003
【図２】
2015164839.tif 000004
【図３】
2015164839.tif 000005
【図４】
2015164839.tif 000006
【図５】
2015164839.tif 000007
【図６】
2015164839.tif 000008
【図７】
2015164839.tif 000009
【図８】
2015164839.tif 000010
【外国語明細書】
2015164839000001.pdf